(57)【要約】【課題】人体にやさしい穏やかなおやすみ運転をする。【解決手段】室内ユニットを室内の壁面上方に設置し、前記室内ユニットの筐体の上部及び下部に上吹出口８及び下吹出口９をそれぞれ設け、各吹出口の内部に上ファン５と下ファン６を備え、筐体前面に吸込口７を設け、この吸込口の内側に熱交換器を備えた空気調和機に於いて、前記各吹出口に蓋を兼用する水平羽根を設け、通常の冷房運転では上吹出口８を閉じ上ファン５は停止し、下吹出口９を開け下ファン６を運転することで下吹出口９より送風を行い、冷房時のおやすみ運転時には下吹出口９を閉じ下ファン６を停止し、上吹出口８を開け上ファン５を運転することで上吹出口８より送風を行うようにする。【選択図】図２
2006071227.tif 000002
【特許請求の範囲】
【請求項１】
室内ユニットを室内の壁面上方に設置し、前記室内ユニットの筐体の上部及び下部に上吹出口及び下吹出口をそれぞれ設け、各吹出口の内部に上ファンと下ファンを備え、筐体前面に吸込口を設け、この吸込口の内側に熱交換器を備えた空気調和機に於いて、前記各吹出口に蓋を兼用する水平羽根を設け、通常の冷房運転では上吹出口を閉じ上ファンは停止し、下吹出口を開け下ファンを運転することで下吹出口より送風を行い、冷房時のおやすみ運転時には下吹出口を閉じ下ファンを停止し、上吹出口を開け上ファンを運転することで上吹出口より送風を行う事を特徴とする空気調和機。
【請求項２】
室内ユニットを室内の壁面上方に設置し、前記室内ユニットの筐体の上部及び下部に上吹出口及び下吹出口をそれぞれ設け、各吹出口の内部に上ファンと下ファンを備え、筐体前面に吸込口を設け、この吸込口の内側に熱交換器を備えた空気調和機に於いて、前記各吹出口に蓋を兼用する水平羽根を設け、冷房運転では上吹出口を閉じ上ファンは停止し、下吹出口を開け下ファンを運転することで下吹出口より送風を行い、暖房運転では上下の吹出口を開け上下のファンを運転することで上下の吹出口より同時に送風を行う事を特徴とする空気調和機。
【発明の詳細な説明】
【技術分野】
【０００１】
この発明は室内ユニットと室外ユニットを冷媒配管で接続して使用する、家庭用の空気調和機の室内ユニットに関するものである。
【背景技術】
【０００２】
従来の空気調和機では、床置き式の室内ユニットに於いて、上下に２つの吹出口と２つのファンを設け、冷房運転時には上部のファンを運転すると共に下部のファンを停止し、上方へ冷気を吹出す事で冷房を行い、暖房運転時には下部のファンを運転すると共に上部のファンを停止し、床面に沿って温風を吹き出す事で空調を行うものであった。（例えば、特許文献１参照）
また室内壁面の上方に取り付けた室内ユニットで、この室内ユニットの下部に設けられた１つの吹出口で冷暖房を行う空気調和機もある。この空気調和機は冷房時には風向を斜め下方向に、暖房運転時には風向を下方向に調節して運転を行うものである。
【特許文献１】特開平５−２６１０６号公報
【発明の開示】
【発明が解決しようとする課題】
【０００３】
しかしながら、この従来の空気調和機は室内ユニットが床置き式であるために冷房運転では冷風の吹き出し位置が低いために冷風が直接人体に接触する場合が多くあり、不快感を使用者に与える事が有った。
また後者の室内ユニットは、特に就寝時の冷房運転では直接人体に冷風が当たる事で冷風による不快感だけではなくカゼをひいたり等の健康面で問題があった。
また暖房運転では天井付近に暖気が停滞し、室内の温度分布が偏ってしまう傾向があった。
【課題を解決するための手段】
【０００４】
この発明はこの点に着目し上記欠点を解決する為、室内ユニットを室内の壁面上方に設置し、前記室内ユニットの筐体の上部及び下部に上吹出口及び下吹出口をそれぞれ設け、各吹出口の内部に上ファンと下ファンを備え、筐体前面に吸込口を設け、この吸込口の内側に熱交換器を備えた空気調和機に於いて、前記各吹出口に蓋を兼用する水平羽根を設け、通常の冷房運転では上吹出口を閉じ上ファンは停止し、下吹出口を開け下ファンを運転することで下吹出口より送風を行い、冷房時のおやすみ運転時には下吹出口を閉じ下ファンを停止し、上吹出口を開け上ファンを運転することで上吹出口より送風を行うものである。
【０００５】
また室内ユニットを室内の壁面上方に設置し、前記室内ユニットの筐体の上部及び下部に上吹出口及び下吹出口をそれぞれ設け、各吹出口の内部に上ファンと下ファンを備え、筐体前面に吸込口を設け、この吸込口の内側に熱交換器を備えた空気調和機に於いて、前記各吹出口に蓋を兼用する水平羽根を設け、冷房運転では上吹出口を閉じ上ファンは停止し、下吹出口を開け下ファンを運転することで下吹出口より送風を行い、暖房運転では上下の吹出口を開け上下のファンを運転することで上下の吹出口より同時に送風を行うものである。
【発明の効果】
【０００６】
この発明によれば、就寝時のおやすみ冷房運転では上ファンにより天井面に沿って冷気が広がったのち、居住空間へ冷気が降りてくるので、冷風が直接人体に接触する事がなく、不快感を使用者に与える事がなくなり、人体にやさしい穏やかなおやすみ運転をする事ができる。
また暖房時、上下の吹出口より同時に温風を吹き出すことで、天井付近の暖気を常時撹拌し室内の温度分布の均一化ができるものである。
【実施例１】
【０００７】
次に、この発明に係る空気調和機を図面に示された一実施例で説明する。１はセパレート式空気調和機の室内ユニットで、室内の壁面上方に据え付けられ冷暖房を行うものであり、本体ベース２と前方の前面パネル３によって筐体を形成し、この筐体内には略中央を前後にくの字型に折り曲げた熱交換器４と２つのクロスフローファン５・６等を備えている。
【０００８】
また前記前面パネル３は中央に吸込口７を、上面に上吹出口８を、底面に下吹出口９を備え、上吹出口８の内部には上ファン５を、下吹出口９の内部には下ファン６を備え、前記吸込口７と上ファン５と上吹出口８を連通して上送風経路１０を、前記吸込口７と下ファン６と下吹出口９を連通して下送風経路１１形成している。
【０００９】
前記熱交換器４はアルミニウムのフィンに銅管を貫通して形成するフィンチューブ式の熱交換器で、冷媒配管（図示せず）で室外ユニット１２に備えた圧縮機（図示せず）等と接続され、冷房運転時には低温に、暖房運転時には高温になり熱交換を行うことで吹出口８・９から冷風や温風を送風して室内の冷暖房を行うものである。
【００１０】
１３は水平羽根と前記上吹出口８の蓋の機能を有する上ルーバで、上吹出口８から吹き出す上下方向の風向を調節すると共に、運転停止時や通常の冷房運転時には自動的に上吹出口８を閉じる位置に停止するものである。
【００１１】
１４は水平羽根と前記下吹出口９の蓋の機能を有する下ルーバで、下吹出口９から吹き出す上下方向の風向を調節すると共に、運転停止時や冷房のおやすみ運転時には自動的に下吹出口９を閉じる位置に停止するものである。
【００１２】
１５は前記下吹出口９の本体ベース２に取り付けられた左右風向板で下吹出口９から吹き出す左右方向の風向を調節するものである。
１６は前記熱交換器４の下方に設けられたドレンパンで、冷房運転や除湿運転時に熱交換器４から発生した結露水を受けてドレンホース（図示せず）に導き、結露水を屋外に排水するものである。
１７は前記吸込口７と熱交換器４の間に備えたフィルタで、網状の樹脂からなるものである。
１８は据付板で、室内ユニット１を壁に取り付けるために使用するものである。
【００１３】
１９は上ルーバモータで、前記上ルーバ１３の軸に取り付けられ、回動により上ルーバ１３の角度を変化させるものである。
２０は下ルーバモータで、前記下ルーバ１４の軸に取り付けられ、回動により下ルーバ１４の角度を変化させるものである。
【００１４】
２１は前記上ファン５を回転するための上送風モータで、前記上ファン５は下ファン６に比べて小径であるために上送風モータ２１も小型のものを使用しファン軸の右端に取り付けられている。
２２は下ファン６を回転するための下送風モータであり、径の大きい下ファン６を回転するために比較的大きな直流モータを使用し、ファン軸の右端に取り付けられている。
また前記下ファン６を大風量で主体として使用し、上ファン５を小風量で補助的に使用するものであり、上ファン５と上送風モータ２１をとてもコンパクトに収納できるものである。
【００１５】
２３は室内制御部で、空気調和機の運転停止等の空気調和機全体の制御を行うマイクロコンピュータ等の制御装置である。
２４はワイヤレスリモコン２５の受信装置で、このリモコン２５からの信号を前記室内制御部２３に中継するものである。
２６は前記リモコン２５の操作部で、運転スイッチ２７や冷暖房の切替等を行うモードスイッチ２８や室温設定スイッチ２９やおやすみ運転スイッチ３０等のスイッチ類を備えている。
前記のスイッチ類はスイッチ動作後、ボタンを離すと初期状態に戻るモーメンタリ式のスイッチから構成している。
【００１６】
作動について説明すれば、通常の冷房運転では上ファン５と上ルーバ１３は停止しているので上吹出口８は閉じられ、下ファン６が回転し下ルーバ１４が水平からやや下向きの位置に回動し、下送風経路１１を通って強い冷風が下吹出口９から室内へ吹き出され、使用者へ直接冷風を届けることができ、強い冷風感を使用者に与えることができるものである。
【００１７】
そしておやすみ運転スイッチ３０を操作して冷房のおやすみ運転に切り換えれば、下ファン６と下ルーバ１４は停止して下吹出口９は閉じられ、上ファン５が回転を開始し上ルーバ１３斜め上方に回動し、上送風経路１０を通って上吹出口８から天井に沿って冷気が広がり、居住空間へ冷気が降りてくるので、冷風が直接人体に接触する事がなく、不快感を使用者に与える事がなくなり、人体にやさしい穏やかなおやすみ運転をする事ができる。
【００１８】
また暖房運転では、上下のファン５・６が回転すると共に、上下のルーバ１３・１４が回動し、下吹出口９からは強い温風が室内に吹き出され、上吹出口８から吹き出される温風によって天井付近の暖気を常時撹拌して室内の温度分布の均一化をはかるものである。
【図面の簡単な説明】
【００１９】
【図１】この発明一実施例の冷房運転時の側面の断面図。
【図２】同冷房のおやすみ運転時の側面の断面図。
【図３】同暖房運転時の側面の断面図。
【図４】同制御装置のブロック図。
【符号の説明】
【００２０】
５    上ファン
６    下ファン
７    吸込口
８    上吹出口
９    下吹出口
１３    上ルーバ
１４    下ルーバ
【図１】
2006071227.tif 000003
【図２】
2006071227.tif 000004
【図３】
2006071227.tif 000005
【図４】
2006071227.tif 000006